(57)【要約】【課題】画像送信先である表示装置側の表示状態を正確に把握することができる撮像装置を提供する。【解決手段】撮像装置は、撮影された画像のスライドショー設定情報を該画像の付加情報として画像データを生成する（ステップＳ１０１〜ステップＳ１０３）。そして、撮像装置は、外部の表示装置に対して、スライドショー情報を付加した画像データを転送（ステップＳ１０４）した後、転送した画像とスライドショー情報から該表示装置の状態を予測し（ステップＳ１０５）、予測した表示装置の状態を表示部に表示する（ステップＳ１０６）。【選択図】図３
2009065445.tif 000002
【特許請求の範囲】
【請求項１】
撮像装置であって、
外部の表示装置に対して、撮影された画像の表示設定情報および画像データを転送する通信手段と、
前記表示装置に画像データを転送した後、転送した画像と前記表示設定情報から該表示装置の状態を予測する制御手段と、
該制御手段により予測された前記表示装置の状態を表示部に表示する表示制御手段と、を備える
ことを特徴とする撮像装置。
【請求項２】
前記表示設定情報は、スライドショーの設定情報である、
ことを特徴とする請求項１に記載の撮像装置。
【請求項３】
前記制御手段により予測された前記表示装置の状態は、撮影した画像が前記表示装置に表示されるまでの待機時間である、
ことを特徴とする請求項１又は２に記載の撮像装置。
【請求項４】
前記制御手段により予測された前記表示装置の状態は、該表示装置でのスライドショーの残り時間である、
ことを特徴とする請求項２又は３に記載の撮像装置。
【請求項５】
前記制御手段により予測される前記表示装置の状態は、該表示装置に現在表示中の画像の状態であり、該制御手段は、前記通信手段を介して前記表示装置から現在表示中の画像ＩＤを取得して、該画像ＩＤに基づいて前記表示装置に現在表示中の画像の状態の予測を補正する、
ことを特徴とする請求項１又は２に記載の撮像装置。
【請求項６】
前記制御手段は、設定されたスライドショーの予定時間及び予定撮影枚数からスライドショーの残り時間を求めるとともに、表示待機画像のスライドショー時間を更新して、更新した情報を前記表示装置に通知する、
ことを特徴とする請求項４に記載の撮像装置。
【請求項７】
前記制御手段は、予測した、撮影した画像が撮影時から前記表示装置に表示されるまでの待機時間に基づいて、前記表示部に表示する撮影画像の確認のための再生時間を計算して、該再生時間を更新する、
ことを特徴とする請求項３に記載の撮像装置。
【請求項８】
撮像装置の制御方法であって、
外部の表示装置に対して、撮影された画像の表示設定情報および画像データを転送する通信ステップと、
前記表示装置に画像データを転送した後、転送した画像と前記表示設定情報から該表示装置の状態を予測する予測ステップと、
該予測ステップで予測された前記表示装置の状態を表示部に表示する表示制御ステップと、を備える
ことを特徴とする撮像装置の制御方法。
【請求項９】
撮像装置の制御プログラムであって、
外部の表示装置に対して、撮影された画像の表示設定情報および画像データを転送する通信ステップと、
前記表示装置に画像データを転送した後、転送した画像と前記表示設定情報から該表示装置の状態を予測する予測ステップと、
該予測ステップで予測された前記表示装置の状態を表示部に表示する表示制御ステップと、をコンピュータに実行させる
ことを特徴とする撮像装置の制御プログラム。
【発明の詳細な説明】
【技術分野】
【０００１】
本発明は、例えばプロジェクタのスクリーン等の表示装置との間で通信が可能な撮像装置、撮像装置の制御方法及び撮像装置の制御プログラムに関する。
【背景技術】
【０００２】
近年、デジタルカメラと周辺機器との無線通信が可能となり、また、画像の転送速度が向上することで、撮影と同時に撮影画像をプロジェクタのスクリーン等の大型の表示装置でスライドショー等により表示してプレゼンテーションを行うことが可能となっている。
【０００３】
この場合、撮影者がカメラで撮影する度にスライドショーの設定（ＯＮ／ＯＦＦ，表示時間，表示効果など）をしながら、表示装置に撮影画像を転送して表示させる。これにより、撮影者の意思を反映したリアルタイムなスライドショーを実現することができる。
【０００４】
しかし、撮影者がカメラで撮影する度にスライドショーの設定を行なうのは面倒であることから、従来、撮影時に設定情報を画像へ付加する技術が提案されている（特許文献１）。
【０００５】
この提案では、撮影直前に画像の取り扱いに関する設定の指示があると、ＤＰＯＦファイルを生成するか、あるいは、ＤＰＯＦファイルの設定を変更する。その後、撮影時に画像に指定されたＤＰＯＦファイルをセットする。これにより、撮影前に予め設定された情報を撮影画像に記録することが可能になる。
【０００６】
また、予めスライドショーの設定を撮影指示ファイルとしてカメラに記録しておき、カメラが起動すると、記録されている撮影指示ファイルを読み取って撮影指示情報を表示し、撮影指示情報に従って撮影を行う技術が提案されている（特許文献２）。
【特許文献１】特開２００２−４４５７７号公報
【特許文献２】特開２００６−１９６９５７号公報
【発明の開示】
【発明が解決しようとする課題】
【０００７】
ところで、イベント等でプレゼンテーションが行われる場合、時間に制約があることが多く、撮影者にとっては残り時間や表示装置での現在の表示状況の把握が必要となる。また、撮影と同時に表示装置でスライドショーを行う場合には、表示装置側の状態によりスライドショーの設定を変更する必要が生じる。例えば、画像の転送速度により、表示装置側への表示速度が遅くなり、想定されたスライドショーの時間を越えるため、それ以降に撮影する画像についてのスライドショーの時間設定を変更したい場合が生じる。
【０００８】
しかし、上記特許文献１及び２では、撮影画像を表示装置に表示する場合、表示装置が撮影者と離れた場所や死角にあると、撮影者は表示装置の表示状況を確認できず、適切なスライドショー等の設定が行えない。
【０００９】
また、表示装置側（画像を受信する側）で一時停止操作が行われたり、通信障害が発生したりすると、カメラ側での表示装置の表示状況の予想と表示装置側での実際の表示状況とが異なることがある。
【００１０】
そこで、本発明は、表示装置側の状態を正確に把握することができる撮像装置、撮像装置の制御方法及び撮像装置の制御プログラムを提供することを目的とする。
【課題を解決するための手段】
【００１１】
上記目的を達成するために、本発明の撮像装置は、撮像装置であって、外部の表示装置に対して、撮影された画像の表示設定情報および画像データを転送する通信手段と、前記表示装置に画像データを転送した後、転送した画像と前記表示設定情報から該表示装置の状態を予測する制御手段と、該制御手段により予測された前記表示装置の状態を表示部に表示する表示制御手段と、を備えることを特徴とする。
【００１２】
本発明の撮像装置の制御方法は、外部の表示装置に対して、撮影された画像の表示設定情報および画像データを転送する通信ステップと、前記表示装置に画像データを転送した後、転送した画像と前記表示設定情報から該表示装置の状態を予測する予測ステップと、該予測ステップで予測された前記表示装置の状態を表示部に表示する表示制御ステップと、を備えることを特徴とする。
【００１３】
本発明の撮像装置の制御プログラムは、外部の表示装置に対して、撮影された画像の表示設定情報および画像データを転送する通信ステップと、前記表示装置に画像データを転送した後、転送した画像と前記表示設定情報から該表示装置の状態を予測する予測ステップと、該予測ステップで予測された前記表示装置の状態を表示部に表示する表示制御ステップと、をコンピュータに実行させることを特徴とする。
【発明の効果】
【００１４】
本発明によれば、外部の表示装置側の状態を撮像装置側で正確に把握することができるので、撮影者が表示装置の状態を直接、確認できない場合においても、表示装置に表示する画像に関する設定を撮像装置側で的確に行うことができる。
【発明を実施するための最良の形態】
【００１５】
以下、本発明の実施の形態を図面を参照して説明する。
【００１６】
（第１の実施形態）
図１は、本発明の第１の実施形態である撮像装置を説明するための制御ブロック図である。
【００１７】
図１に示すように、本実施形態の撮像装置１００は、撮像部１１０を備えており、該撮像部１１０はイメージセンサを用いて被写体を撮像し、画像データを生成する。撮像制御部１１１は、システム制御部１２０からの指示によって撮像部１１０の動作を制御する。また、撮像制御部１１１は、撮像部１１０で生成された画像データの情報をシステム制御部１２０に渡す。
【００１８】
画像処理部１１２は、システム制御部１２０が保持する画像データを用いて所定の演算処理を行い、撮像部１１０から提供される撮影情報により画像を調整し、調整後の画像データを所定の画像圧縮方式に従って圧縮する。
【００１９】
システム制御部（制御手段、表示制御手段）１２０は、撮像装置１００全体を制御し、メモリ１２１は、システム制御部１２０の動作に用いる定数、変数、プログラム等を記憶するメモリである。
【００２０】
モードダイヤルスイッチ１３０、シャッタースイッチ１３１、画像表示ＯＮ／ＯＦＦスイッチ１３２、操作部１３３は、システム制御部１２０の各種の動作指示を入力するための操作手段である。
【００２１】
モードダイヤルスイッチ１３０により、電源オフ、自動撮影モード、撮影モード、パノラマ撮影モード、再生モード、マルチ画面再生・消去モード、ＰＣ接続モード等の各機能モードを切り替え設定することができる。
【００２２】
シャッタースイッチ１３１は、ＳＷ１ではＡＦ（オートフォーカス）処理、ＡＥ（自動露出）処理、ＡＷＢ（オートホワイトバランス）処理、ＥＦ（フラッシュプリ発光）処理等の動作開始を指示する。また、シャッタースイッチ１３１は、ＳＷ２では、撮像部１１０が生成した画像データをメモリ１４０に書き込む処理、画像処理部１１２での処理の動作開始を指示する。更に、シャッタースイッチ１３１は、ＳＷ２では、メモリ１４０から画像データを読み出し、リムーバブルメモリ１６１に画像データを書き込むという一連の処理の動作開始を指示する。
【００２３】
画像表示ＯＮ／ＯＦＦスイッチ１３２は、表示部１５０のＯＮ／ＯＦＦを設定することができる。
【００２４】
操作部１３３は、各種ボタンやタッチパネル等からなるユニットで、メニューボタン、セットボタン、マクロボタン、マルチ画面再生改ページボタン、フラッシュ設定ボタン、単写/連写/セルフタイマー切り替えボタン、メニュー移動＋（プラス）ボタン等がある。また、操作部１３３には、メニュー移動−（マイナス）ボタン、再生画像移動＋（プラス）ボタン、再生画像−（マイナス）ボタン、撮影画質選択ボタン、露出補正ボタン、日付/時間設定ボタン、署名埋め込み設定ボタン、改ざん検知設定ボタン等がある。
【００２５】
メモリ１４０は、撮影した静止画像や動画像を格納するためのものであり、所定枚数の静止画像や所定時間の動画像を格納するのに十分な記憶量を備えている。また、メモリ１４０は、システム制御部１２０の作業領域としても使用することが可能である。
【００２６】
表示部１５０は、ＴＦＴやＬＣＤ等からなり、メモリ１４０に書き込まれた表示用の画像データを表示する。また、表示部１５０を用いて撮像した画像データを逐次表示すれば、電子ファインダー機能を実現することが可能である。表示部１５０は、撮像装置１００の各種設定を表示し、操作部１３３により各種設定を変更することが可能である。また、表示部１５０は、システム制御部１２０の指示により任意に表示をＯＮ／ＯＦＦすることが可能である。
【００２７】
記録部１６０は、システム制御部１２０が指定した画像ファイルをリムーバブルメモリ１６１に書き込む、あるいはシステム制御部１２０が指定した画像ファイルをリムーバブルメモリ１６１から読み出すユニットである。リムーバブルメモリ１６１は、メモリカードやハードディスク等の記録媒体である。
【００２８】
通信部（通信手段）３００は、システム制御部１２０が指定した画像ファイルを外部の表示装置２００に送信するユニットである。
【００２９】
ところで、図２に示すように、撮像装置１００で撮影する会場と表示装置２００を用いてプレゼンテーションする会場とが分かれている場合、撮影者はプレゼンテーションの進行状況を把握することができない。このため、プレゼンテーション開場の表示装置２００に転送する画像を撮像装置１００で撮影する際に、的確な画像の表示設定を設定することが困難となることが予想される。
【００３０】
図３は、撮像装置が表示装置の状態を予測して表示部に画像を表示する手順を説明するためのフローチャート図である。なお、図３での各処理は、メモリ１２１やリムーバブルメモリ１６１等に格納された制御プログラムがメモリ１４０にロードされて、システム制御部１２０のＣＰＵにより実行される。
【００３１】
図３において、まず、撮像装置１００は、スライドショーモードに設定されているかどうかを判断する（ステップＳ１０１）。スライドショーモードが設定されている場合、撮影後の画像の付加情報としてスライドショー情報（表示設定情報）を設定する（ステップＳ１０２）。設定するスライドショー情報としては、スライドショーの表示、非表示及び表示時間（秒数等）等を例示できる。
【００３２】
スライドショー情報の設定後、撮影を行う（ステップＳ１０３）。次に、ステップＳ１０２でスライドショーの表示が設定されている場合には、ステップＳ１０３で撮影した画像を表示時間を含むスライドショー設定情報とともに表示装置２００へ転送する（ステップＳ１０４）。また、他のモードからスライドショーモードに切替えられて初めて撮影画像が転送された時刻を画像転送開始時刻として保持する。
【００３３】
次に、ステップＳ１０２で各画像に設定した表示時間より、次式（１）を用いて、表示装置２００に転送した各画像の表示時間の合計を順に計算する。そして、その合計時間と画像転送開始からの経過時間とを比較して、表示装置２００に現在表示中の画像を予測する（ステップＳ１０５）。
【００３４】
【数１】
2009065445.tif 000003
ｎ：転送枚数
Ｘｎ：各画像の表示時間
【００３５】
次に、予測した画像をリムーバブルメモリ１６１から読出し、撮像装置の表示部１５０に表示する（ステップＳ１０６）。
【００３６】
図４は、撮像装置１００の表示部１５０と表示装置２００との関係を示す図である。
【００３７】
撮像装置１００は、ステップＳ１０４で表示装置２００へ転送した画像が表示装置２００に表示されるまでの予測時間をスライドショー時間として表示部１５０に表示する。また、撮像装置１００は、表示装置２００側でスライドショーとして表示されていない待機画像を上部にサムネイル一覧で表示部１５０に表示するか、あるいは、表示装置２０に現在表示中の画像のみを表示部１５０に表示する。
【００３８】
一方、ステップＳ１０１でスライドショーモードに設定されていないと判断された場合は、撮影のみ行う（ステップＳ１０７）。
【００３９】
以上のように、本実施形態によれば、撮像装置１００のユーザは、現在、表示装置２００に現在どの画像が表示されているか、転送画像がいつ表示装置２００に表示されるか、まだ表示装置２００に表示されていない画像はどれかの予測を簡単に知ることができる。
【００４０】
これにより、表示装置２００側の状態を撮像装置１００側で正確に把握することができ、撮影者が表示装置２００の状態を把握できない場合においても、表示装置２００に表示する画像に関する設定を撮像装置１００側で的確に行うことができる。
【００４１】
また、撮像装置１００は、表示装置２００と通信することなく、表示装置２００での表示状態を予測することができるので、通信コストを低減することができる。
【００４２】
（第２の実施形態）
次に、図５を参照して、本発明の第２の実施形態である撮像装置について説明する。
【００４３】
図５は、撮像装置が表示装置に現在表示中の画像を表示装置から取得する処理例について説明するためのフローチャート図である。図５での各処理は、メモリ１２１やリムーバブルメモリ１６１等に格納された制御プログラムがメモリ１４０にロードされて、システム制御部１２０のＣＰＵにより実行される。なお、上記第１の実施形態と重複する部分については、その説明を省略する。
【００４４】
図５において、ステップＳ２０１〜ステップＳ２０４までは、上記第１の実施形態の図３のステップＳ１０１〜ステップＳ１０４と同様の処理を施す。
【００４５】
次に、ステップＳ２０５では、表示装置２００に現在表示中の画像を表示装置２００から画像ＩＤとして取得する。その後、撮像装置１００において、取得した画像ＩＤを基に、その画像以降に表示装置２００へ転送された画像を表示待機画像として判断し、次式（２）を用いて、表示待機画像の残り表示時間の合計を求める（ステップＳ２０６）。
【００４６】
【数２】
2009065445.tif 000004
ｎ：表示待機画像枚数
Ｘｎ：各表示待機画像の表示設定秒数
【００４７】
次に、ステップＳ２０４で求めた表示待機画像の一覧とステップＳ２０６で求めた表示待機画像の残り表示時間とを撮像装置１００の表示部１５０に表示する（ステップＳ２０７）。一方、ステップＳ２０１でスライドショーモードに設定されていないと判断された場合は、撮影のみ行う（ステップＳ２０８）。
【００４８】
以上のように、本実施形態によれば、撮像装置１００は、表示装置２００に対して該表示装置２００に現在表示中の画像を特定するための情報を通信するだけである。このため、表示装置２００から待機画像情報や既に表示済みの画像情報等のような様々な情報を通信する場合に比べて通信コストを低減することができる。
【００４９】
また、撮像装置１００が表示装置２００で現在表示中の画像を特定できる情報を表示装置２００から得るので、転送画像がいつ表示装置２００に表示されるか、まだ表示装置２００で表示されていない画像はどれかの予測をより正確に行うことができる。これにより、撮像装置１００のユーザは、表示装置２００での表示状態をより正確に把握することができる。
【００５０】
（第３の実施形態）
次に、図６を参照して、本発明の第３の実施形態である撮像装置について説明する。
【００５１】
図６は、撮像装置が表示装置の表示状態を予測した予測表示時間を表示装置に現在表示中の画像を取得することにより補正する処理例について説明するためのフローチャート図である。図６での各処理は、メモリ１２１やリムーバブルメモリ１６１等に格納された制御プログラムがメモリ１４０にロードされて、システム制御部１２０のＣＰＵにより実行される。なお、上記第１の実施形態と重複する部分については、その説明を省略する。
【００５２】
図６において、ステップＳ３０１〜ステップＳ３０５までは、上記第１の実施形態の図３のステップＳ１０１〜ステップＳ１０５と同様の処理を施す。
【００５３】
次に、ステップＳ３０６では、表示装置２００に現在表示中の画像を表示装置２００から画像ＩＤとして取得する。次に、ステップＳ３０５で予測した表示装置２００に現在表示中の画像と、表示装置２００から取得した現在表示中の画像ＩＤとに基づき、予測した表示装置２００の表示状態と、実際に表示装置２００から取得した情報とを比較する（ステップＳ３０７）。
【００５４】
そして、予測した表示装置２００の表示状態と、実際に表示装置２００から取得した情報とが異なる場合は、予測した表示装置２００の表示状態を補正し（ステップＳ３０８）、予測した表示待機画像と表示待機時間とを更新する（ステップＳ３０９）。一方、ステップＳ３０１でスライドショーモードに設定されていないと判断された場合は、撮影のみ行う（ステップＳ３１０）。
【００５５】
以上のように、本実施形態によれば、撮像装置１００が、表示装置２００で現在表示中の画像を特定できる情報を表示装置２００から得て、予測結果と比較することにより、予測結果を補正することができる。これにより、撮像装置１００のユーザは、表示装置２００での表示状態のより正確に把握することができる。
【００５６】
（第４の実施形態）
次に、図７及び図８を参照して、本発明の第４の実施形態である撮像装置について説明する。
【００５７】
図７は、残り表示待機時間と撮影予定枚数とにより、まだ表示装置に表示されていない撮影画像についてスライドショーの表示設定を自動的に設定し直す処理を説明するためのフローチャート図である。図７での各処理は、メモリ１２１やリムーバブルメモリ１６１等に格納された制御プログラムがメモリ１４０にロードされて、システム制御部１２０のＣＰＵにより実行される。なお、上記第１の実施形態と重複する部分については、その説明を省略する。
【００５８】
図７において、ステップＳ４０１〜ステップＳ４０４までは、上記第１の実施形態の図３のステップＳ１０１〜ステップＳ１０４と同様の処理を施す。
【００５９】
次に、スライドショーを実施する全体の予定時間を撮像装置１００に入力する（ステップＳ４０５）。また、スライドショーに使用する画像の予定撮影枚数と画像の表示時間とを撮像装置１００に入力する（ステップＳ４０６）。
【００６０】
次に、設定されたスライドショーの全体の予定時間と予定撮影枚数と画像に設定された表示時間、及びステップＳ４０４で表示装置２００に転送された画像の枚数とそれに設定された表示時間の総時間から、スライドショーの残り時間を求める（ステップＳ４０７）。
【００６１】
次に、ステップＳ４０７で求めたスライドショーの残り時間とスライドショーの全体の時間とから、表示待機画像のスライドショー時間を、次式（３）を用いてスライドショーの全体時間に収まるように調整して、自動的に更新する（ステップＳ４０８）。次式（３）では、各表示待機画像の表示設定秒数Ｘｎから調整値ｒを減算することによって、スライドショーの全体の時間を算出する。
【００６２】
【数３】
2009065445.tif 000005
下記添付
ｎ：表示待機画像枚数
Ｘｎ：各表示待機画像の表示設定秒数
ｒ：表示設定秒数の調整値
【００６３】
次に、ステップＳ４０８で更新した情報を表示装置２００に通知し、表示装置２００側の画像に設定されている時間を更新する（ステップＳ４０９）。一方、ステップＳ４０１でスライドショーモードに設定されていないと判断された場合は、撮影のみ行う（ステップＳ４１０）。
【００６４】
図８は、撮像装置１００の表示部１５０と表示装置２００との関係を示す図である。
【００６５】
図８において、撮像装置１００は、表示装置２００へ画像と表示設定を画像データとして転送する。撮像装置１００の表示部１５０には、現在転送した画像が表示装置２００に表示されるまでの時間を表示するとともに、表示装置２００においてスライドショーが終了していない待機画像を上部にサムネイル一覧表示する。各サムネイルには、スライドショー設定時間が画像に重ねて表示され、また、画像表示部分以外の領域に表示待機画像のスライドショー時間を自動更新することを表すメッセージを表示する。
【００６６】
以上のように、本実施形態によれば、スライドショー全体の時間に上限がある場合に、残り時間に合わせて、まだ表示されていない撮影画像の表示時間が自動的に調整されるので、撮像装置１００のユーザの手間を省くことができる。
【００６７】
（第５の実施形態）
次に、図９及び図１０を参照して、本発明の第５の実施形態である撮像装置について説明する。
【００６８】
図９は、表示部１５０に撮影画像の確認プレビューを表示させながらスライドショー設定をユーザが手動で行なう際、確認プレビューの再生時間をスライドショー待機画像の総表示時間から自動的に変更する処理を説明するためのフローチャート図である。スライドショーの設定は、画像表示時間の設定、及び画像の表示または非表示の設定である。図９での各処理は、メモリ１２１やリムーバブルメモリ１６１等に格納された制御プログラムがメモリ１４０にロードされて、システム制御部１２０のＣＰＵにより実行される。なお、上記第１の実施形態と重複する部分については、その説明を省略する。
【００６９】
図９において、ステップＳ５０１〜ステップＳ５０４までは、上記第１の実施形態の図３のステップＳ１０１〜ステップＳ１０４と同様の処理を施す。
【００７０】
次に、撮像装置１００は、撮影画像の表示待機時間を取得する（ステップＳ５０５）。撮影画像の表示待機時間の取得方法は、転送枚数と画像表示時間の設定情報から予測してもよいし、表示装置２００から通信により取得してもよい。
【００７１】
次に、ステップＳ５０５で取得した画像の表示待機時間より、画像確認の再生時間を計算する（ステップＳ５０６）。そして、撮像装置に設定されている再生時間をステップＳ５０６で計算した画像確認の再生時間に自動的に更新する（ステップＳ５０７）。一方、ステップＳ５０１でスライドショーモードに設定されていないと判断された場合は、撮影のみ行う（ステップＳ５０８）。
【００７２】
撮像装置１００の表示部１５０と表示装置２００との関係を示す図である。
【００７３】
図１０において、撮像装置１００は、表示部１５０に撮影確認用プレビューの再生秒数をカウントダウン形式で表示し、カウントが０になった時点で自動的にプレビュー表示を消し、撮影モードに切り替える。
【００７４】
以上のように、本実施形態によれば、撮影画像が表示装置で表示されるまでの時間に応じて表示部１５０でのプレビュー再生時間が自動的に変動して、プレビューの再生秒数がカウントダウンで表示される。これにより、撮像装置１００のユーザは、スライドショー設定の操作にかけられる時間を容易に把握することができる。
【００７５】
なお、本発明は、上記実施形態に例示したものに限定されるものではなく、本発明の要旨を逸脱しない範囲において適宜変更可能である。
【００７６】
例えば、上記実施形態では、表示装置としてプロジェクタ等の大型のスクリーンを例に採って説明したが、これに限定されず、表示装置はＴＦＴやＣＲＴ等であってもよい。
【００７７】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００７８】
この場合、記憶媒体から読み出されたプログラムコード自体が前述した実施の形態の機能を実現することになり、そのプログラムコード及び該プログラムコードを記憶した記憶媒体は本発明を構成することになる。
【００７９】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００８０】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００８１】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００８２】
【図１】本発明の第１の実施形態である撮像装置を説明するための制御ブロック図である。
【図２】撮像会場とプレゼンテーション会場とが分かれている場合の不具合を説明するための説明図である。
【図３】撮像装置が表示装置の状態を予測して表示部に画像を表示する手順を説明するためのフローチャート図である。
【図４】撮像装置の表示部と表示装置との関係を示す図である。
【図５】本発明の第２の実施形態である撮像装置において、表示装置に現在表示中の画像を表示装置から取得する処理例について説明するためのフローチャート図である。
【図６】本発明の第３の実施形態である撮像装置において、表示装置の表示状態を予測した予測表示時間を表示装置に現在表示中の画像を取得することにより補正する処理例について説明するためのフローチャート図である。
【図７】本発明の第４の実施形態である撮像装置において、残り表示待機時間と撮影予定枚数とにより、まだ表示装置に表示されていない撮影画像についてスライドショーの表示設定を自動的に設定し直す処理を説明するためのフローチャート図である。
【図８】撮像装置の表示部と表示装置との関係を示す図である。
【図９】本発明の第５の実施形態である撮像装置において、プレビューの再生時間をスライドショー待機画像の総表示時間から自動的に変更する処理を説明するためのフローチャート図である。
【図１０】撮像装置の表示部と表示装置との関係を示す図である。
【符号の説明】
【００８３】
１００  撮像装置
１１０  撮像部
１１１  撮像制御部
１１２  画像処理部
１２０  システム制御部
１２１  メモリ
１４０  メモリ
１５０  表示部
２００  表示装置
３００  通信部
【図１】
2009065445.tif 000006
【図２】
2009065445.tif 000007
【図３】
2009065445.tif 000008
【図４】
2009065445.tif 000009
【図５】
2009065445.tif 000010
【図６】
2009065445.tif 000011
【図７】
2009065445.tif 000012
【図８】
2009065445.tif 000013
【図９】
2009065445.tif 000014
【図１０】
2009065445.tif 000015